(57)【要約】      （修正有）【課題】本発明は、端子台構造及び該端子台構造を有する電源装置を提供することを目的とする。【解決手段】端子台構造は、ネジ結合部４１１とバッフル４１２を有する端子台本体４１と、端子台本体４１と適合し、庇部４２１と上部４２２を有し、貫通孔４２３が設けられる端子カバー４２と、ネジ４３とネジガスケット４４と、固定ピン４５と、を有し、ネジ４３はネジガスケット４４によってネジ結合部４１１にねじ結合される端子台構造であって、ネジガスケット４４の外周に、少なくとも一つの位置規制部４４１が設けられ、端子カバー４２の庇部４２１の内側の、各ネジ結合部４１１に対応する少なくとも一方の側に第一のリブ部４２４が設けられ、第一のリブ部４２４は少なくとも一つの位置規制部４４１の少なくとも一つと適合することを特徴とし、これによって、ネジ４３の脱落を防止する。【選択図】図４
2018063941.tif 000002
【特許請求の範囲】
【請求項１】
少なくとも一つのネジ結合部と、前記少なくとも一つのネジ結合部の少なくとも両側に設けられる複数のバッフルとを有する端子台本体と、
前記端子台本体と適合し、庇部と上部とを有し、前記上部に前記少なくとも一つのネジ結合部に対応する少なくとも一つの貫通孔が設けられる端子カバーと、
少なくとも一つのネジと
少なくとも一つのネジガスケットと、
前記端子台本体の前記ネジ結合部と反対の一方の側に設けられる固定ピンと、を有し、
前記少なくとも一つのネジは前記少なくとも一つのネジガスケットによって前記少なくとも一つのネジ結合部にねじ結合される端子台構造であって、
前記少なくとも一つのネジガスケットの外周に、少なくとも一つの位置規制部が設けられ、前記端子カバーの前記庇部の内側の、各前記少なくとも一つのネジ結合部に対応する少なくとも一方の側に第一のリブ部が設けられ、前記第一のリブ部は前記少なくとも一つの位置規制部の少なくとも一つと適合することを特徴とする端子台構造。
【請求項２】
前記少なくとも一つのネジ結合部は一つのネジ結合部又は一組のネジ結合部であり、前記一つのネジ結合部又は前記一組のネジ結合部の向かい合う両側にそれぞれ一つのバッフルが設けられる、又は、
前記少なくとも一つのネジ結合部は順に配列された複数のネジ結合部又は複数の組のネジ結合部であり、前記複数のネジ結合部のうちの各二つのネジ結合部の間、又は、前記複数の組のネジ結合部のうちの各二組のネジ結合部の間に一つのバッフルが設けられ、且つ、端に近い各組のネジ結合部の端に近い側に一つのバッフルが設けられることを特徴とする請求項１に記載の端子台構造。
【請求項３】
前記各組のネジ結合部は二つのネジ結合部を有することを特徴とする請求項２に記載の端子台構造。
【請求項４】
前記端子カバーの前記上部の前記各組のネジ結合部に対応する前記少なくとも一つの貫通孔の間に、一つのカバーバッフルが設けられることを特徴とする請求項２に記載の端子台構造。
【請求項５】
前記バッフルの少なくとも一方の側に第二のリブ部が設けられ、前記第二のリブ部は前記少なくとも一つの位置規制部の少なくとも一つと適合することを特徴とする請求項１〜４のいずれかに記載の端子台構造。
【請求項６】
前記少なくとも一つのネジガスケットは矩形であり、前記少なくとも一つのネジガスケットの向かい合う二つの側辺にそれぞれ一つの位置規制部が設けられ、前記端子カバーの前記庇部の内側の、各前記少なくとも一つのネジ結合部に対応する両側に、それぞれ一つの第一のリブ部が設けられ、前記第一のリブ部は前記位置規制部と適合することを特徴とする請求項１に記載の端子台構造。
【請求項７】
前記少なくとも一つのネジガスケットは矩形であり、前記少なくとも一つのネジガスケットの四つの側辺にそれぞれ一つの位置規制部が設けられ、前記端子カバーの前記庇部の内側の、各前記少なくとも一つのネジ結合部に対応する両側に、それぞれ一つの第一のリブ部が設けられ、前記第一のリブ部は前記位置規制部の二つと適合し、前記バッフルの両側にそれぞれ一つの第二のリブ部が設けられ、前記第二のリブ部は前記位置規制部の別の二つと適合することを特徴とする請求項５に記載の端子台構造。
【請求項８】
前記少なくとも一つの貫通孔の内径は前記少なくとも一つのネジガスケットの外径よりも小さいことを特徴とする請求項１に記載の端子台構造。
【請求項９】
前記端子カバーと前記端子台本体は係合方式で適合することを特徴とする請求項１に記載の端子台構造。
【請求項１０】
前記端子カバーの前記庇部の外側の、各前記バッフルに対応する位置に位置決め穴が設けられ、前記位置決め穴に対応するように前記バッフルの少なくとも一端に突起が設けられ、前記突起を前記位置決め穴内に嵌め込むことで、前記端子カバーと前記端子台本体を係合させることを特徴とする請求項９に記載の端子台構造。
【請求項１１】
請求項１〜１０のいずれかに記載の前記端子台構造を有することを特徴とする電源装置。
【発明の詳細な説明】
【技術分野】
【０００１】
本発明は電源分野に関し、特に端子台構造及び該端子台構造を有する電源装置に関する。
【背景技術】
【０００２】
現有する端子台構造は、一般的に案１：ねじをつぶす、案２：端子台のプラスチックケースの一体化成型、案３：端子カバーの脱落防止、の幾つかの案を有する。
【０００３】
図１は案１（図１において丸で囲まれた１で示されている）の端子台構造の模式図である。図１に示すように、ネジ底部をつぶす処理をすることで、ネジと固定ピン（ＰＩＮ）が脱離できないようにして、脱落防止機能を実現する。しかしながら、案１はＯ型の端子配線を使用できない。
【０００４】
図２は案２（図１において丸で囲まれた２で示されている）の端子台構造の模式図である。図２に示すように、端子台本体をプラスチックケースと一体化成型することで、ネジのサイズを制限し、ネジが緩まないようにして、脱落防止機能を実現する。しかしながら、案２は、ネジ配線過程において、方向性が無く、配線が困難であり、端子台のコストは高い。
【０００５】
図３は案３（図１において丸で囲まれた３で示されている）の端子台構造の模式図である。図３に示すように、端子カバーによってネジ頭部のサイズを制限し、プラスチックケース本体（又は端子カバー）の内径φＡ＜ネジガスケット（ｓｃｒｅｗ  ｇａｓｋｅｔ）の外径φＢであるために、ネジが緩まないように制限される。しかしながら、案２と同様に、案３は、ネジ配線過程において、方向性が無く、配線が困難であり、且つ、配線端子を用いて配線する時、端子カバーを取り外した後でしか配線できない。
【０００６】
注意しなければならないこととして、上記技術背景の紹介は、本発明の技術案に対して明確で、完全な説明を行いやすくして、当業者が理解しやすいように詳述したものである。これらの案は、本発明の背景技術部分において、詳述されているだけで、上記技術案は当業者にとって公知であると認定することはできない。
【発明の概要】
【発明が解決しようとする課題】
【０００７】
現有する端子台構造の上記課題を解決するために、本発明は、端子台のネジ脱落防止機能を実現する端子台構造及び該端子台構造を有する電源装置を提供する。
【課題を解決するための手段】
【０００８】
本発明の実施例の第一の態様によると、少なくとも一つのネジ結合部と、前記少なくとも一つのネジ結合部の少なくとも両側に設けられる複数のバッフルを有する端子台本体と、前記端子台本体と適合し、庇部と上部を有し、前記上部に前記少なくとも一つのネジ結合部に対応する少なくとも一つの貫通孔が設けられる端子カバーと、少なくとも一つのネジと少なくとも一つのネジガスケットと、前記端子台本体の前記ネジ結合部と反対の一方の側に設けられる固定ピンと、を有し、前記少なくとも一つのネジは前記少なくとも一つのネジガスケットによって前記少なくとも一つのネジ結合部にねじ結合される端子台構造であって、前記ネジガスケットの外周に、少なくとも一つの位置規制部が設けられ、前記端子カバーの前記庇部の内側の、各前記少なくとも一つのネジ結合部に対応する少なくとも一方の側に第一のリブ部が設けられ、前記第一のリブ部は前記少なくとも一つの位置規制部の少なくとも一つと適合することを特徴とする端子台構造を提供する。
【０００９】
本発明の実施例の第二の態様によると、前記第一の態様に記載の端子台構造を有することを特徴とする電源装置を提供する。
【発明の効果】
【００１０】
本発明の有益な効果は、本発明の実施例の端子台構造に基づき、端子台本体とネジガスケットを改良することで、ネジ脱落防止機能を実現し、配線をしやすくし（方向性を有する）、端子カバーを取り外さなくとも配線端子を用いて配線でき、端子カバーを取り外すと一般的な端子台と同じであり、異なる顧客のコスト要求を満たすことができる。
【００１１】
以下の明細書及び図面は、本発明の特定の実施方式を詳細に公開して、本発明の原理において採用され得る方式を示している。本発明の実施方式はこの範囲において制限されないことを理解されなければならない。請求項に付属する精神と条項の範囲内で、発明の実施方式は多くの変更、補正及び同意義のものを含む。
【００１２】
実施方式の記述及び／又は示される特徴は、同じ又は相似の方式で一つ以上のその他の実施方式において使用する、その他の実施方式における特徴と組み合わせる、又は、その他の実施方式における特徴に置換することができる。
【００１３】
強調しなければならないこととして、用語「含む／包含する」は本文で使用される時、特徴、全体、工程又は構成要素の存在を指すが、一つ以上のその他の特徴、全体、工程又は構成要素の存在又は追加を排除しない。
【図面の簡単な説明】
【００１４】
含まれる図面は本発明をさらに理解するために用いるものであり、それは明細書の一部を構成しており、本発明の実施方式を例示して、文言の記述と共に本発明の原理を説明するのに用いられる。当然に、以下の記述中の図面は本発明の実施例にすぎず、当業者にとって、創造性の勤労を払わない前提の下、これらの図面に基づき、その他の図面を得ることもできる。
【００１５】
【図１】ねじをつぶした端子台構造の模式図である。
【図２】プラスチックケースを一体化した端子台構造の模式図である。
【図３】端子カバーの脱落防止の端子台構造の模式図である。
【図４】実施例１の端子台構造の模式図である。
【図５】実施例１の端子カバーの模式図である。
【図６】端子台本体の実施方式の模式図である。
【図７】端子台本体の別の実施方式の模式図である。
【図８】端子台本体のさらに別の実施方式の模式図である。
【図９】図８の端子台本体の端子カバーの模式図である。
【図１０】端子台構造の別の実施方式の模式図である。
【図１１】ネジガスケットの実施方式の模式図である。
【図１２】ネジガスケットとネジを組み立てた状態の別の実施方式の模式図である。
【図１３】端子台構造の断面模式図である。
【図１４】端子台構造の係合構造の模式図である。
【発明を実施するための形態】
【００１６】
図面を参照すると、以下の明細書によって、本発明の前述及びその他の特徴は明確になる。明細書及び図面において、本発明の特定の実施方式が具体的に公開されており、本発明の原則を採用できる一部の実施方式が示されている。理解しなければならないこととして、本発明は、記述された実施方式に制限されず、反対に、本発明は、請求項の範囲内に入る全ての補正、変更及び同意義のものを含む。
【００１７】
実施例１
本発明の実施例１は端子台構造を提供する。
【００１８】
図４は本実施例の端子台構造の模式図である。図４に示すように、前記端子台構造は、端子台本体４１と、端子カバー４２と、少なくとも一つのネジ４３と少なくとも一つのネジガスケット４４と、固定ピン４５と、を有する。
【００１９】
本実施例において、図４に示すように、前記端子台本体４１は少なくとも一つのネジ結合部４１１及び複数のバッフル４１２を有し、前記複数のバッフル４１２は前記少なくとも一つのネジ結合部４１１の少なくとも両側に設けられる。本実施例において、即ち、ネジ結合部４１１はネジ４３を設けるのに用いられる。図４は七つのネジ結合部４１１を例としているが、本実施例はこれに制限されず、具体的に実施する時、前記ネジ結合部４１１は七つより多くても、七つより少なくてもよい。また、図４は、各ネジ結合部４１１が順に配列することを例としているが、本実施例はこれに制限されず、具体的に実施する時、前記ネジ結合部４１１は一つの列又は隣接して設けられた複数の列であってもよい。
【００２０】
実施例において、図４に示すように、端子カバー４２は前記端子台本体４１と適合し、庇部（ｃｏｒｎｉｃｅ  ｐａｒｔ）４２１と上部４２２を有する。前記上部４２２に少なくとも一つの貫通孔４２３が設けられ、前記少なくとも一つの貫通孔４２３は前記少なくとも一つのネジ結合部４１１に対応する。即ち、貫通孔４２３の数及び位置はネジ結合部４１１の数及び位置といずれも対応するものである。貫通孔４２３を設けることで、端子カバー４２を取り外さなくとも、配線端子を用いて配線することができる。端子カバー４２を取り外すと一般的なフェンスタイプ端子台と同じであり、異なる顧客のコスト要求を満たすことができる。
【００２１】
本実施例において、図４に示すように、前記少なくとも一つのネジ４３は前記少なくとも一つのネジガスケット４４によって前記少なくとも一つのネジ結合部４１１にねじ結合される。即ち、ネジ４３及びネジガスケット４４の数もネジ結合部４１１と対応するものである。
【００２２】
本実施例において、図４に示すように、固定ピン４５は前記端子台本体４１の前記ネジ結合部４１１と反対の一方の側に設けられる。図４は前記固定ピン４５の延伸方向とネジ４３の延伸方向は垂直であることを例としているが、本実施例はこれに制限されない。具体的に実施する時、前記固定ピン４５の延伸方向はネジ４３の延伸方向に平行であってもよい。
【００２３】
本実施例において、現有する端子台構造と異なるのは、図４に示すように、ネジガスケット４４の外周に、少なくとも一つの位置規制部４４１が設けられていることである。また、端子カバー４２の庇部４２１の内側の、各ネジ結合部４１１に対応する少なくとも一方の側に第一のリブ部４２４が設けられている。前記第一のリブ部４２４は、前記少なくとも一つの位置規制部４４１の少なくとも一つと適合する。
【００２４】
図５は端子カバー４２に設けられた第一のリブ部４２４の模式図である。この構造から、端子カバー４２に設けられた第一のリブ部４２４は、ネジガスケット４４に設けられた位置規制部４４１と適合することで、ネジの限定作用を起こし、ネジの脱落を防止し、配線をしやすくする（方向性を有する）。
【００２５】
本実施例の一つの実施方式において、前記ネジ結合部４１１は一つであり、前記ネジ結合部４１１の向かい合う両側にそれぞれ一つのバッフル４１２が設けられる。
【００２６】
本実施例の別の実施方式において、前記ネジ結合部４１１は一組であり、前記一組のネジ結合部４１１の向かい合う両側にそれぞれ一つのバッフル４１２が設けられ、前記一組のネジ結合部４１１の各ネジ結合部４１１の間にはバッフルが設けられない。また、前記端子カバー４２の上部４２２の前記一組のネジ結合部４１１に対応する貫通孔４２３の間に、一つのカバーバッフル（不図示）が設けられてもよく、前記一組のネジ結合部４１１の各ネジ結合部４１１を区切る作用を起こす。本実施例において、前記一組のネジ結合部４１１は例えば二つ含む。
【００２７】
以上の二つの実施例において、前記バッフル４１２の前記ネジ結合部４１１に対応する側にさらに第二のリブ部（不図示）が設けられてもよく、前記第二のリブ部はネジガスケット４４に設けられた前記少なくとも一つのネジ結合部４１１の少なくとも一つと適合してもよい。これによって、バッフル４１２に設けられた第二のリブ部はネジガスケット４４に設けられた位置規制部４４１と適合することで、ネジの限定作用をさらに起こし、ネジの脱落を防止し、配線をしやすくする。
【００２８】
本実施例のさらに別の実施例において、前記ネジ結合部４１１は順に配列された複数であり、前記複数のうちの各二つのネジ結合部４１１の間に一つのバッフル４１２が設けられ、且つ、端に近いネジ結合部４１１の端に近い側に一つのバッフル４１２が設けられる。
【００２９】
図６は本実施方式の一つの例の端子台本体４１の模式図である。この例において、前記端子台本体４１は七つのネジ結合部４１１を有することを例としている。図６に示すように、本例において、この各二つのネジ結合部４１１の間に一つのバッフル４１２がそれぞれ設けられるほかに、各両端に近いネジ結合部４１１の端部に近い側に一つのバッフル４１２がさらに設けられる。これによって、各ネジ結合部４１１を位置規制する作用を起こすことができる。
【００３０】
図７は本実施方式の別の例の端子台本体４１の模式図である。この例において、同様に、前記端子台本体４１は七つのネジ結合部４１１を有することを例としている。図７に示すように、図６の例と異なるのは、本例において、前記バッフル４１２の少なくとも一方の側に第二のリブ部４１３がさらに設けられてもよく、前記第二のリブ部４１３はネジガスケット４４に設けられた前記少なくとも一つの位置規制部４４１の少なくとも一つと適合することである。これによって、バッフル４１２に設けられた第二のリブ部４１３はネジガスケット４４に設けられた位置規制部４４１と適合することで、ネジの限定作用をさらに起こし、ネジの脱落を防止し、配線をしやすくする。
【００３１】
本実施例の他の実施方式において、前記ネジ結合部４１１は順に配列された複数の組であり、前記複数の組のうちの各二組のネジ結合部４１１の間に一つのバッフル４１２が設けられ、且つ、各両端に近い各組のネジ結合部４１１の端部に近い側に一つのバッフル４１２が設けられる。
【００３２】
図８は本実施方式の一つの例の端子台本体４１の模式図である。図９は前記端子台本体４１が対応する端子カバー４２の模式図である。この例において、前記端子台本体４１は二組のネジ結合部４１１を有し、各組のネジ結合部４１１は二つ有することを例としている。図８と図９に示すように、この二組のネジ結合部４１１の間に一つのバッフル４１２が設けられ、且つ、この二組のネジ結合部４１１はいずれも端に近く、図８から見ると、左側の端に近い一組のネジ結合部４１１の左側に近い側に一つのバッフル４１２が設けられ、右側の端に近い一組のネジ結合部４１１の右側に近い側に一つのバッフル４１２が設けられる。本実施方式において、図９に示すように、各組のネジ結合部４１１の各ネジ結合部４１１を分割するために、前記端子カバー４２の上部４２２の各組のネジ結合部４１１に対応する貫通孔４２３の間に一つのカバーバッフル４２５がさらに設けられてもよい。
【００３３】
図１０は本実施方式の別の例の端子台構造の模式図である。この例において、同様に、前記端子台本体４１は二組のネジ結合部４１１を有し、各組のネジ結合部４１１は二つ有することを例としている。図１０に示すように、図８と図９と異なるのは、本例において、前記バッフル４１２の少なくとも一方の側に第二のリブ部４１３がさらに設けられてもよく、前記第二のリブ部４１３はネジガスケット４４に設けられた前記少なくとも一つの位置規制部４４１の少なくとも一つと適合することである。これによって、バッフル４１２に設けられた第二のリブ部４１３はネジガスケット４４に設けられた位置規制部４４１と適合することで、ネジの限定作用をさらに起こし、ネジの脱落を防止し、配線をしやすくする。
【００３４】
本実施例の一つの実施方式において、前記ネジガスケット４４は矩形であり、前記ネジガスケット４４の向かい合う二つの側辺にそれぞれ一つの位置規制部４４１が設けられる。図１１は本実施方式のネジガスケット４４の模式図である。本実施方式において、前記端子カバー４２の庇部４２１の内側の各ネジ結合部４１１に対応する両側に、それぞれ一つの第一のリブ部４２４が設けられ、図４、５に示すように、この二つの第一のリブ部４２４は前記ネジガスケット４４に設けられた二つの位置規制部４４１と適合することで、ネジ４３を位置規制する。
【００３５】
本実施例の別の実施方式において、前記ネジガスケット４４は矩形であり、前記ネジガスケット４４の四つの側辺にそれぞれ一つの位置規制部４４１が設けられる。図１２は本実施方式のネジガスケット４４とネジを組み立てた状態の模式図である。本実施方式において、図４、５に示すように、前記端子カバー４２の庇部４２１の内側の各ネジ結合部４１１に対応する両側に、それぞれ一つの第一のリブ部４２４が設けられ、且つ、図７、１０に示すように、前記バッフル４１２の両側にそれぞれ一つの第二のリブ部４１３が設けられ、第一のリブ部４２４及び第二のリブ部４１３は前記ネジガスケット４４に設けられた四つの位置規制部４４１と適合することで、ネジ４３を位置規制する。
【００３６】
本実施例において、前記貫通孔４２３の内径は前記ネジガスケット４４の外径よりも小さくてもよく、図１３は前記端子台構造の断面図である。図１３に示すように、貫通孔４２３の内径φＡをネジガスケット４４の外径φＢよりも小さくすることで、ネジが端子台本体４１から脱離しないないようにすると同時に、ネジ４３を完全に緩めた後、端子台本体４１に設けられた第二のリブ部４１３及び／又は端子カバー４２に設けられた第一のリブ部４２４はネジ４３を効果的にガイドするようにして、十分な距離を有して配線端子を配線するようにできる。
【００３７】
本実施例において、前記端子カバー４２と前記端子台本体４１は係合方式で結合してもよい。
【００３８】
一つの実施方式において、図１４に示すように、前記端子カバー４２の庇部４２１の外側の、各バッフル４１２に対応する位置に位置決め穴４２６が設けられ、前記位置決め穴４２６に対応するようにバッフル４１２の少なくとも一端に突起４１４が設けられ、前記突起４１４を前記位置決め穴４２６内に嵌め込むことで、前記端子カバー４２と前記端子台本体４１を係合させる。これによって、必要に基づき組み立てたり取り外したりできる。
【００３９】
本発明の端子台構造に基づき、端子台本体とネジガスケットを改良することで、ネジ脱落防止機能を実現し、配線をしやすくし（方向性を有する）、端子カバーを取り外さなくとも配線端子を用いて配線でき、端子カバーを取り外すと一般的な端子台と同じであり、異なる顧客のコスト要求を満たすことができる。
【００４０】
実施例２
本発明の実施例２は、実施例１に記載の端子台構造を有する電源装置を提供し、実施例１において、端子台構造はすでに説明されており、その内容はここで結合され、ここでは繰り返し説明しない。
【００４１】
本実施例の電源装置に基づき、実施例１の端子台構造を用いることで、ネジの脱落を防止でき、配線しやすくする。
【００４２】
以上、具体的な実施方式を結合して、本発明を記述しているが、当業者にとって、これらの記述はいずれも典型的なものであり、本発明の保護範囲を制限するものではないことは明確である。当業者は、本発明の精神と原理に基づき、本発明に対して各種変更、補正を行うことができ、これらの変更、補正も本発明の範囲内である。
【産業上の利用可能性】
【００４３】
本発明は、端子台のネジ脱落防止機能を実現する端子台構造及び該端子台構造を有する電源装置を提供する。
【符号の説明】
【００４４】
４１：端子台本体
４１１：ネジ結合部
４１２：バッフル
４１３：第二のリブ部
４１４：突起
４２：端子カバー
４２１：庇部
４２２：上部
４２３：貫通孔
４２４：第一のリブ部
４２５：カバーバッフル
４２６：位置決め穴
４３：ネジ
４４：ネジガスケット
４４１：位置規制部
４５：固定ピン
【図１】
2018063941.tif 000003
【図２】
2018063941.tif 000004
【図３】
2018063941.tif 000005
【図４】
2018063941.tif 000006
【図５】
2018063941.tif 000007
【図６】
2018063941.tif 000008
【図７】
2018063941.tif 000009
【図８】
2018063941.tif 000010
【図９】
2018063941.tif 000011
【図１０】
2018063941.tif 000012
【図１１】
2018063941.tif 000013
【図１２】
2018063941.tif 000014
【図１３】
2018063941.tif 000015
【図１４】
2018063941.tif 000016